(57)【要約】【課題】変動要素の入力及び計算結果の表計算シートに地図を重ねることで、各変動要素の増減に応じてリアルタイムに計算し、地図上の各仕向地セルを出荷地色で分布表示することにより、図式化して判りやすく画面表示する。【解決手段】石油、ＬＮＧ、石炭等の出荷基地から各地域の顧客への供給コストに関する変動要素を網羅した、持ち届けコスト情報を取得して蓄積するデータベース３，４と、データベース３，４に蓄積した持ち届けコスト情報について、コストの積算処理とグラフ作成処理することにより、端末１のＷｅｂ画面に、持ち届けコスト情報の選択された項目に基づくデータを、各地点（顧客）における最小コストの基地名とセル色を表示すると共に、各仕向け地ごとの出荷基地別コストの内訳グラフを表示する。【選択図】図１
2008134790.tif 000002
【特許請求の範囲】
【請求項１】
石油、ＬＮＧ、石炭等の輸入、貯蔵、加工、輸送、販売等の一連のエネルギー供給事業における、国内の異なる複数地点の出荷基地から各地域の顧客への供給コストを比較計算し、各顧客地への最適な供給基地と輸送ルート・手段を地図に分布表示する仕向地／出荷地別の持ち届けコストの地図上表示方法であって、
前記出荷基地から各地域の顧客への供給コストに関する変動要素を網羅した、持ち届けコスト情報を取得して蓄積するデータベース（３，４）と、
前記データベース（３，４）に蓄積した持ち届けコスト情報について、コストの積算処理とグラフ作成処理する演算処理装置（５）と、
通信回線（６）を利用して前記演算処理装置（５）にアクセスして所望の持ち届けコスト情報を取得する端末（１）と、を備え、
前記端末（１）のＷｅｂ画面に、前記持ち届けコスト情報の選択された項目に基づくデータを、各地点（顧客）における最小コストの基地名とセル色を表示すると共に、
各仕向け地ごとの出荷基地別コストの内訳グラフを表示する、ことを特徴とする仕向地／出荷地別の持ち届けコストの地図上表示方法。
【請求項２】
前記端末（１）のＷｅｂ画面に、前記持ち届けコスト情報に関する変動要素の入力及び計算結果の表計算シートに地図を重ねることで、各変動要素の増減に応じてリアルタイムに計算し、地図上の各仕向地セルを出荷地色で分布表示する、ことを特徴とする請求項１の仕向地／出荷地別の持ち届けコストの地図上表示方法。
【請求項３】
前記持ち届けコスト情報は、
品目別価格算定式・輸入為替レート等の原材料の出荷地別仕入れコスト、
品目別、供給規模別コスト等の出荷地別の加工・保管・出荷コスト、
輸送規模・方法・距離、高速料金等の各出荷地から各仕向地までの輸送コスト
及び需要規模等の各仕向地での受け入れコストである、ことを特徴とする請求項１の仕向地／出荷地別の持ち届けコストの地図上表示方法。
【発明の詳細な説明】
【技術分野】
【０００１】
本発明は、石油、ＬＮＧ、石炭等の一連のエネルギー供給事業において、国内の異なる複数地点の出荷基地から、各地域の顧客への供給コストを比較計算し、各顧客地への最適な供給基地と輸送ルート・手段等をビジュアルに表示して画面上で判り易いように図式化して地図上に表示する仕向地／出荷地別の持ち届けコストの地図上表示方法に関するものである。
【背景技術】
【０００２】
石油、ＬＮＧ、石炭等の各種エネルギーを供給する事業においては、その輸入、貯蔵、加工、輸送及び販売等の一連の事業が必要であり、国内の異なる複数地点の出荷基地（ソース）から、各地域の顧客への供給コストを比較計算していた。そこで、個別商談が発生する際に、その石油、ＬＮＧ又は石炭等の対象商品の各出荷地からの持ち届けコストを、例えば数式１のように表計算ソフト等を用いた積算比較を行った上で、出荷地の決定や見積書の作成を行っていた。
【０００３】
【数１】
2008134790.tif 000003
【０００４】
本発明の発明者らは、このようなエネルギー供給事業において国内の異なる複数地点の出荷基地から、各地域の顧客への供給コストを比較計算し、各顧客地への最適な供給基地と輸送ルート・手段を地図に分布表示することで、視覚的に容易に管理・把握させることができることに着目した。このような地図上に情報を表示する技術としては、例えば特許文献１の特開２００１−３３０４５２の「地図表示装置およびナビゲーション装置」のように、リアルタイムに変化する各情報を地図上に合成して表示し、ユーザが直感的に情報を把握することができるとともに、所定の場合には課金処理のための通信を行う地図表示装置およびナビゲーション装置が提案されている。
【特許文献１】２００１−３３０４５２
【発明の開示】
【発明が解決しようとする課題】
【０００５】
しかし、各仕向地への最適な出荷地の選定には、輸送距離の長短をはじめ、出荷地毎に為替レートや品目の違いによる原材料の仕入れコストや保管コストならびに受け入れコストなどを積算・比較の上、選定するため、熟練と時間を要するという問題を有していた。
【０００６】
また、変動要素が多く、各出荷地が受け持つその時々の最適な供給エリアを地図上に表示するには多大な労力が必要であり、広範囲なエリアを対・象とする需給計画精度には限界があった。
【０００７】
本発明は、かかる問題点を解決するために創案されたものである。すなわち、本発明の目的は、変動要素の入力及び計算結果の表計算シートに地図を重ねることで、各変動要素の増減に応じてリアルタイムに計算し、地図上の各仕向地セルを出荷地色で分布表示することにより、図式化して判りやすく画面表示する仕向地／出荷地別の持ち届けコストの地図上表示方法を提供することにある。
【課題を解決するための手段】
【０００８】
本発明によれば、石油、ＬＮＧ、石炭等の輸入、貯蔵、加工、輸送、販売等の一連のエネルギー供給事業における、国内の異なる複数地点の出荷基地から各地域の顧客への供給コストを比較計算し、各顧客地への最適な供給基地と輸送ルート・手段を地図に分布表示する仕向地／出荷地別の持ち届けコストの地図上表示方法であって、前記出荷基地から各地域の顧客への供給コストに関する変動要素を網羅した、持ち届けコスト情報を取得して蓄積するデータベース（３，４）と、前記データベース（３，４）に蓄積した持ち届けコスト情報について、コストの積算処理とグラフ作成処理する演算処理装置（５）と、通信回線（６）を利用して前記演算処理装置（５）にアクセスして所望の持ち届けコスト情報を取得する端末（１）と、を備え、前記端末（１）のＷｅｂ画面に、前記持ち届けコスト情報の選択された項目に基づくデータを、各地点（顧客）における最小コストの基地名とセル色を表示すると共に、各仕向け地ごとの出荷基地別コストの内訳グラフを表示する、ことを特徴とする仕向地／出荷地別の持ち届けコストの地図上表示方法が提供される。
前記端末（１）のＷｅｂ画面に、前記持ち届けコスト情報に関する変動要素の入力及び計算結果の表計算シートに地図を重ねることで、各変動要素の増減に応じてリアルタイムに計算し、地図上の各仕向地セルを出荷地色で分布表示することが好ましい。
【０００９】
例えば、前記持ち届けコスト情報としては、品目別価格算定式・輸入為替レート等の原材料の出荷地別仕入れコスト、品目別、供給規模別コスト等の出荷地別の加工・保管・出荷コスト、輸送規模・方法・距離、高速料金等の各出荷地から各仕向地までの輸送コスト及び需要規模等の各仕向地での受け入れコストがある。
【発明の効果】
【００１０】
上記構成の発明では、変動要素の入力及び計算結果の表計算シートに地図を重ねることで、各変動要素の増減に応じてリアルタイムに計算し、端末（１）のＷｅｂ画面に地図上の各仕向地セルを出荷地色で分布表示することにより、各出荷地のコスト競争力を視覚的な供給エリアとして把握することができる。
本発明では、高精度かつ迅速なコスト分析が行え、効率的な需給計画作成と総合的なコストを削減することができる。
【発明を実施するための最良の形態】
【００１１】
本発明の仕向地／出荷地別の持ち届けコストの地図上表示方法は、石油、ＬＮＧ、石炭等の輸入、貯蔵、加工、輸送、販売等の一連のエネルギー供給事業における、国内の異なる複数地点の出荷基地から各地域の顧客への供給コストを比較計算し、各顧客地への最適な供給基地と輸送ルート・手段を地図に分布表示する方法である。
【実施例１】
【００１２】
以下、本発明の好ましい実施の形態を図面を参照して説明する。
図１は実施例１の仕向地／出荷地別の持ち届けコストの地図上表示方法を説明する基本ブロック図である。
本発明の仕向地／出荷地別の持ち届けコストの地図上表示方法は、基本情報とリアルタイムな情報（変化状況情報）とそのコストを積算し、その結果をＷｅｂ画面に、この持ち届けコスト情報の選択された項目に基づくデータを、各地点即ち顧客における最小コストの基地名とセル色を表示すると共に、各仕向け地ごとの出荷基地別コストの内訳グラフを表示する表示方法である。
【００１３】
基本情報としては、次のような項目がある。各輸入基地の輸入価格情報、例えばＪＣＣとの連動価格フォーミュラー（統計分析値）がある。各基地には受入・貯蔵・加工・出荷に要する基地経費がある。輸送関係情報、例えば基地から各顧客間輸送距離と所要時間、同上各区間の高速料金、年間輸送量、月間稼働日数、１日２ラウンド可能なエリア、車両情報（輸送量、燃費、車両価格耐用年、保険・税金等）がある。受入基地情報、例えば年間経費の相関式がある。これは例示的に列挙したもので、これ以外の基本情報を付加することもできる。
【００１４】
リアルタイムな情報（変化状況情報）としては、全日本輸入原油の加重平均入着価格（ＪＣＣ）、輸送規模がある。同じく、これも例示的なものでこれ以外の情報について付加することができる。
【００１５】
図２は実施例１の仕向地／出荷地別の持ち届けコストの地図上表示方法のシステムである。図３は実施例１の仕向地／出荷地別の持ち届けコストを地図上に表示するための処理手順を示すフロー図である。
本発明の仕向地／出荷地別の持ち届けコストの地図上表示方法は、出荷基地から各地域の顧客への供給コストに関する変動要素を網羅した、持ち届けコスト情報を入力システム２に入力する。この入力システム２においては、持ち届けコスト情報に関する基礎情報のデータ３とリアルタイムな情報（変化状況情報）のデータ４を入力する。この入力データをデータベース３，４に蓄積する。この蓄積した持ち届けコスト情報について、演算処理装置５は、その描画作成、データベース３，４へのコストの積算処理、グラフ作成処理する。この入力システム２には直接入力するだけでなく、通信回線６を介在して各端末１から入力してもよい。例えば、会社内のイントラネットにより各事業部、事業所からアクセスすることができる。更に、情報管理会社がインターネットにより、個々のクライアントにコスト情報を提供する事業として本発明を活用することも可能である。
【００１６】
端末１からは、通信回線６を介して表示したいデータの項目を指定する。この端末１のＷｅｂ画面に、持ち届けコスト情報の選択された項目に基づくデータを、各地点（顧客）における最小コストの基地名とセル色を表示すると共に、各仕向け地ごとの出荷基地別コストの内訳グラフを表示する。
【００１７】
図４は出荷基地別コストの内訳グラフを作成するためのＬＮＧの価格フォーミュラーイメージを示すグラフである。図５は全日本輸入原油の加重平均入着価格（ＪＣＣ）の一例を示すグラフである。
（１）原材料費
ＬＮＧの価格フォーミュラー（統計分析値）には、図４に示すように、大きく分けて契約１の直線、契約２のＳ字ならびに契約３のＺ字のタイプがあり、石油、ＬＮＧ、石炭等の価格が変動により、各出荷基地の輸入している例えばＬＮＧ入着価格の優劣が変化する。
なお、為替の変動により入着価格の絶対値は変化する。図５にその入着価格の変化例を示す。但し、基地間の相対的な優劣関係には影響ない。原材料費に関するコストは、数式２に基づいて計算する。
【００１８】
【数２】
2008134790.tif 000004
【００１９】
（２）貯蔵・加工費
貯蔵・加工費に関するコストは、その殆どが出荷基地の減価償却費であることから、経年基地ほど単価が安くなる。貯蔵・加工費に関するコストは、数式３に基づいて計算する。
【００２０】
【数３】
2008134790.tif 000005
【００２１】
（３）輸送費
輸送費に関するコストは輸送距離に略比例する。しかし、走行時間による２名乗務要否、高速道路の利用可否、年間輸送規模の大小（ローリーの利用率への影響）等によって、輸送単価は変動する。輸送費に関するコストは、数式４に基づいて計算する。
【００２２】
【数４】
2008134790.tif 000006
【００２３】
（４）受入費
この受入費に関するコストはサテライト設備を必要とする場合に計上する。受入規模による設備のスケールメリットによって単価に影響する。受入費に関するコストは、数式５に基づいて計算する。
【００２４】
【数５】
2008134790.tif 000007
【００２５】
図６は出荷基地３箇所から配送する場合の表示イメージをＷｅｂ画面に表示した説明図である。
図６は出荷基地３箇所から配送する場合を表示するものであり、ＪＣＣ（＄ｂｂｌ、輸送規模等）変動要素入力する。仕向け地に対応するセルのクリックにより、その地点向けの出荷基地別コストの内訳グラフが表示される。図６のＡ、Ｂ、Ｃはそれぞれ出荷基地を表す。計算結果から各仕向け地に対応するセルを、最適な出荷地に対応する名と色で表示される。この表計算シート上に地図と重ね合わせることで実現できる。
【００２６】
これにより、国内の異なる複数地点の出荷基地（ソース）から，各地域の顧客への供給コストを比較計算し、各顧客地への最適な供給基地と輸送ルート・手段を地図に分布表示することができる。各出荷地のコスト競争力を視覚的な供給エリアとして把握することができる。そこで、高精度かつ迅速なコスト分析が行え、効率的な需給計画作成と総合的なコスト削減が可能になる。
【００２７】
なお、本発明は上述した発明の実施の形態に限定されず、変動要素の入力及び計算結果の表計算シートに地図を重ねることで、各変動要素の増減に応じてリアルタイムに計算し、地図上の各仕向地セルを出荷地色で分布表示することにより、図式化して画面上で判りやすく表示できれば、図示したような方法に限定されず、本発明の要旨を逸脱しない範囲で種々変更できることは勿論である。
【産業上の利用可能性】
【００２８】
本発明の仕向地／出荷地別の持ち届けコストの地図上表示方法は、石油、ＬＮＧ、石炭等の一連のエネルギー供給事業において、国内の異なる複数地点の出荷基地から、各地域の顧客への供給コストを比較計算し、各顧客地への最適な供給基地と輸送ルート・手段等に限らず、エネルギー供給事業以外のその他の供給事業にも利用することができる。
【図面の簡単な説明】
【００２９】
【図１】実施例１の仕向地／出荷地別の持ち届けコストの地図上表示方法の基本ブロック図である。
【図２】実施例１の仕向地／出荷地別の持ち届けコストの地図上表示方法のシステムである。
【図３】実施例１の仕向地／出荷地別の持ち届けコストを地図上に表示するための処理手順を示すフロー図である。
【図４】出荷基地別コストの内訳グラフを作成するためのＬＮＧの価格フォーミュラーイメージを示すグラフである。
【図５】全日本輸入原油の加重平均入着価格（ＪＣＣ）の一例を示すグラフである。
【図６】出荷基地３箇所から配送する場合の表示イメージをＷｅｂ画面に表示した説明図である。
【符号の説明】
【００３０】
１  端末
２  入力システム
３  データベース（基礎情報）
４  データベース（リアルタイムな情報（変化状況情報））
５  演算処理装置
６  通信回線
【図１】
2008134790.tif 000008
【図２】
2008134790.tif 000009
【図３】
2008134790.tif 000010
【図４】
2008134790.tif 000011
【図５】
2008134790.tif 000012
【図６】
2008134790.tif 000013